(57)【要約】【課題】  露受皿ユニットを外郭筐体から離脱させる際、作業者が単独で容易且つ安全に作業を行える一方、露受皿に残留している凝縮水が周囲へ飛散してしまう等の不具合を防止することのできる露受皿ユニットの仮固定機能を備えた天井埋込形空気調和機を提供することを目的とする。【解決手段】  露受皿ユニット１０を外郭筐体１から離脱させる際、露受皿ユニット１０に設けられた係止部材取付片１３の係止部材１４を、外郭筐体１の取付金具１２から突設された左右一対の係止爪１２ａに係止させながら、係止部材取付片１３を取付金具１２に固定している螺子３８を下方から抜脱することにより、露受皿ユニット１０に残留している凝縮水を周囲に飛散させるというような不具合の発生を防止しながら、水平状態を保ち、露受皿ユニット１０の外郭筐体１からの離脱作業を行なう。【選択図】図４
2009079819.tif 000002
【特許請求の範囲】
【請求項１】
天井裏壁面と天井面との間に吊り下げ設置された外郭筐体と、同外郭筐体に下方から装着される化粧パネルとからなり、前記外郭筐体内に設けられた熱交換器から滴下する凝縮水を受ける露受皿を備えた露受皿ユニットを、前記外郭筐体の下方から収納してなる天井埋込形空気調和機において、
前記露受皿ユニットに、回動自在な複数の係止部材を設け、前記外郭筐体の外周面に、前記係止部材が係止する係止爪を設けて、前記露受皿ユニットを外郭筐体から離脱させる際、前記係止部材を、前記係止爪に係止させながら、前記露受皿ユニットを前記外郭筐体に固定している螺子を抜脱し、同露受皿ユニットの水平状態を保ったまま、外郭筐体からの離脱作業を可能としたことを特徴とする天井埋込形空気調和機。
【請求項２】
前記係止爪は、前記外郭筐体の外周面に取付けられ、天井裏壁面から吊り下げられた吊りボルトに固定される取付金具に一体となって形成されていることを特徴とする請求項１に記載の天井埋込形空気調和機。
【請求項３】
前記係止部材は、前記露受皿ユニットの下面から突設された係止部材取付片に、回動自在に装着された、コ字状の部材からなることを特徴とする請求項１に記載の天井埋込形空気調和機。
【請求項４】
前記係止部材は、前記化粧パネルを前記外郭筐体に着脱する際、前記化粧パネルに設けられた固定部を係止することにより、前記化粧パネルを仮止め状態とし、着脱作業を行えることを特徴とする請求項１または請求項３に記載の天井埋込形空気調和機。
【発明の詳細な説明】
【技術分野】
【０００１】
本発明は天井埋込形空気調和機に関わり、より詳細には、外郭筐体内に装着された露受皿ユニットを容易に離脱できる構成に関する。
【背景技術】
【０００２】
従来の天井埋込形空気調和機も、本願による天井埋込形空気調和機と基本的構成は同一なので図１（Ａ）を用いて説明する。図１（Ａ）で示す天井埋込形空気調和機は、天井面４１と天井裏壁面４０との間に吊り下げられた外郭筐体１と、同外郭筐体１に装着され、中央部に開閉自在な吸込グリル４を備えた化粧パネル２とで構成されており、同化粧パネル２は室内の天井面４１を覆うとともに、四囲に風向偏向板５ａを備えた吹出口５を形成している。前記吸込グリル４と前記吹出口５とを結ぶ空気流路には、ファンモータ７により駆動される遠心ファン６と、同遠心ファン６を囲繞するように熱交換器８が配設されており、前記吸込グリル４から吸込まれた室内の空気は前記遠心ファン６により前記熱交換器８に送出され、これを通過して熱交換された後、前記吹出口５から再び室内に送出されるようになっている。
【０００３】
前記吸込グリル４と前記遠心ファン６との間には、吸込まれた空気を整流して前記遠心ファン６に円滑に導びくリング状に形成されたベルマウス９が設けられており、また、外郭筐体１内には、前記熱交換器８から滴下する凝縮水を受ける露受皿と、同露受皿に貯留された凝縮水を吸引し、ドレンホースに送出するドレンポンプとを備えた露受皿ユニット１０が、同外郭筐体１に対し着脱自在に設けられている。
【０００４】
天井埋込形空気調和機のメンテナンスを行う際、まず、前記化粧パネル２を前記外郭筐体１から取外すとともに天井面４１から離脱させる。続いて前記露受皿ユニット１０を固定している螺子を外し、同露受皿ユニット１０を下降させて前記外郭筐体１から離脱させるようになっている。この際、露受皿に残留している凝縮水が周囲に飛散しないように、作業者は注意を払い、露受皿ユニット１０の水平状態を保ちながら離脱作業を行うようになっている。
【０００５】
しかしながら、メンテナンス作業を単独で行う際、露受皿ユニット１０を固定している螺子を外す一方、同露受皿ユニット１０の水平状態を保ちながら前記外郭筐体１から離脱させる作業は作業者にとって負担が重く、また危険性を伴う作業となっており、離脱作業の際、前記露受皿ユニット１０の仮固定を行なえる仮固定機能を備えた天井埋込形空気調和機が求められていた。
【０００６】
他の従来例として、例えば特許文献１に開示されているように、フックにより露受皿を回動自在に支持した構成がある。図６で示す天井埋込形空気調和機５０は外郭筐体５１内に、遠心ファン５２と熱交換器５３とを収納するとともに、露受皿５４を着脱自在に装着している。前記外郭筐体５１の一側下部には左右一対にフック５５が設けられ、前記露受皿５４の一側には前記フック５５に回動自在に係止する係止部５４ｂが設けられている。また、露受皿５４の他側には螺子挿通孔を穿設した金具５４ａが左右一対となって設けられている。前記係止部５４ｂを前記フック５５に係止させ、前記露受皿５４を回動させて外郭筐体１内に収納した後、前記金具５４ａに螺子５６を挿通させ、前記外郭筐体５１に螺合させることにより露受皿５４は外郭筐体５１内に装着されるようになっている。
【０００７】
前記露受皿５４を外郭筐体５１から離脱させる際は、前記螺子５６を外し、矢印で示すように露受皿５４を回動させた後、前記係止部５４ｂを前記フック５５から外すことにより、露受皿５４の離脱作業を作業者が単独でも行えるようになっている。しかしながら、前記露受皿５４に凝縮水が残留している場合には、前記露受皿５４を回動させると、凝縮水が周囲に飛散することとなり、これを防止する改善策が求められていた。
【特許文献１】特開２００３−２１４６４５号（４頁、図４）
【発明の開示】
【発明が解決しようとする課題】
【０００８】
本発明は、上記問題点に鑑み、露受皿ユニットを外郭筐体から離脱させる際、作業者が単独で容易且つ安全に作業を行える一方、露受皿に残留している凝縮水が周囲へ飛散してしまう等の不具合を防止することのできる露受皿ユニットの仮固定機能を備えた天井埋込形空気調和機を提供することを目的とする。
【課題を解決するための手段】
【０００９】
本発明は、上記課題を解決するため、天井裏壁面と天井面との間に吊り下げ設置された外郭筐体と、同外郭筐体に下方から装着される化粧パネルとからなり、前記外郭筐体内に設けられた熱交換器から滴下する凝縮水を受ける露受皿を備えた露受皿ユニットを、前記外郭筐体の下方から収納してなる天井埋込形空気調和機において、前記露受皿ユニットに、回動自在な複数の係止部材を設け、前記外郭筐体の外周面に、前記係止部材が係止する係止爪を設けて、前記露受皿ユニットを外郭筐体から離脱させる際、前記係止部材を、前記係止爪に係止させながら、前記露受皿ユニットを前記外郭筐体に固定している螺子を抜脱し、同露受皿ユニットの水平状態を保ったまま、外郭筐体からの離脱作業を可能とした構成となっている。また、前記係止爪は、前記外郭筐体の外周面に取付けられ、天井裏壁面から吊り下げられた吊りボルトに固定される取付金具に一体となって形成されている構成となっている。また、前記係止部材は、前記露受皿ユニットの下面から突設された係止部材取付片に、回動自在に装着された、コ字状の部材からなる構成となっている。また、前記係止部材は、前記化粧パネルを前記外郭筐体に着脱する際、前記化粧パネルに設けられた固定部を係止することにより、前記化粧パネルを仮止め状態とし、着脱作業を行える構成となっている。
【発明の効果】
【００１０】
本発明によると、露受皿ユニットを外郭筐体から離脱させる際、露受皿ユニットに設けられた係止部材取付片の係止部材を、外郭筐体の取付金具から突設された左右一対の係止爪に係止させながら、係止部材取付片を取付金具に固定している螺子を下方から抜脱することにより、水平状態を保ったまま、露受皿ユニットの外郭筐体からの離脱作業を行えるようになっており、露受皿ユニットに残留している凝縮水を周囲に飛散させるというような不具合の発生を防止するとともに、誤って露受皿ユニットを落下させてしまうというような事態を防止して、安全なメンテナンス作業を行なうことのできる天井埋込形空気調和機とすることができるようになっている。      
【発明を実施するための最良の形態】
【００１１】
以下、本発明の実施の形態を、添付図面に基づいた実施例として詳細に説明する。
【実施例１】
【００１２】
図１（Ａ）は天井埋込形空気調和機の断面図であり、図１（Ｂ）は外郭筐体の斜視図である。図２（Ａ）及び図２（Ｂ）は外郭筐体と露受皿ユニットとを示す要部斜視図である。図３はメンテナンス時の手順を示す説明図であり、図４（Ａ）及び図４（Ｂ）は露受皿ユニットの離脱作業を示す説明図である。
【００１３】
本発明による天井埋込形空気調和機は、図１（Ａ）の断面図で示すように、天井裏壁面４０に埋め込まれた複数の吊りボルト１１に、外郭筐体１の側面に複数備えられた取付金具１２を螺着させることにより、天井裏壁面４０と天井面４１内との間に吊り下げ設置された多角形状の外郭筐体１と、同外郭筐体１の下面に螺子３９により装着され、室内の天井面を覆う化粧パネル２とで構成されている。
【００１４】
従来例で説明した構成と同様に、前記化粧パネル２の中央部には矩形状の開口部が設けられ、同開口部には複数の桟からなる格子状の吸込口を形成するとともに、同吸込口の裏面に不織布等からなるフィルタ４を着脱自在に装着した吸込グリル３が、一側端縁を回動自在に軸支されることにより開閉自在に設けられている。また、前記化粧パネル２の四側周縁には、風向偏向板５ａを備えた吹出口５が複数形成されている。前記吸込グリル３と前記吹出口５とを結ぶ、矢印で示す空気流路には、ファンモータ７により回転駆動される遠心ファン６と、同遠心ファン６を囲繞するように、平行に並べられた多数のフィンと、同フィンに直交するように蛇行状に配設された伝熱管とからなる熱交換器８が配設されている。前記吸込グリル３から吸込まれた室内の空気は前記熱交換器８に向かい送出され、これを通過することにより熱交換されて前記吹出口５から再び室内に送出されるようになっている。
【００１５】
前記吸込グリル４と前記遠心ファン６との間には、吸込まれた空気を整流して前記遠心ファン６に円滑に導びくリング状に形成されたベルマウス９が設けられており、また、外郭筐体１内には、前記熱交換器８から滴下する凝縮水を受ける露受皿と、同露受皿に貯留された凝縮水を吸引し、ドレンホースに送出するドレンポンプとを備えた露受皿ユニット１０が、同外郭筐体１に対し着脱自在に設けられている。また、前記外郭筐体１は図１（Ｂ）の斜視図で示すように、角部が斜面となった略八角形状に形成され、角部の斜面には、外形がコ字状に形成された複数の取付金具１２が螺着されている。また、下面には前記吹出口５に連通する複数の流出口１ａが形成されている。
【００１６】
次に、前記外郭筐体１と露受皿ユニット１０との構成について説明する。図２（Ａ）及び図２（Ｂ）の下方からの斜視図で示すように、外郭筐体１の外周面には、上記したように、外形がコ字状に形成された取付金具１２が複数螺着されており、同取付金具１２の外周側に折曲された上部片を、図１で示すように、天井裏壁面４０から吊り下げられた吊りボルト１１にナットで固定することにより外郭筐体１は天井裏壁面４０と天井面４１との間に吊り下げ設置されるようになっている。
【００１７】
前記取付金具１２は、図２（Ａ）で示すように、下部にも、外周側に折曲された下部片１２ｂが設けられ、同下部片１２の外周側には螺子孔１２ｃが穿設され、内周側には、螺子孔１２ｃより若干口径の小さい螺子孔１２ｄが穿設されている。また、前記下部片１２ｂの上方には、切り起こしによりＬ字状に折曲された係止爪１２ａが左右一対となるように形成されている。
【００１８】
前記露受皿ユニット１０は外周壁が、前記外郭筐体１の内壁面に適合するように形成され、下方から前記外郭筐体１内に収納されるようになっている。露受皿ユニット１０の下面には、前記取付金具１２の下部片１２ｂに対応するように、螺子挿通孔１３ａを穿設した複数の取付片１３が外周側に突出するように螺着されており、螺子３８を同取付片１３の螺子挿通孔１３ａに下方から挿通させ、前記取付金具１２の螺子孔１２ｄに螺合させることにより前記露受皿ユニット１０は前記外郭筐体１内に収納固定されるようになっている。また、図２（Ｂ）で示すように、前記取付片１３の下面両側には半円筒状の支持部１３ｂが設けられ、同支持部１３ｂには、これに両端部を挿通させた、針金材からなるコ字状に形成された係止部材１４が回動自在に支持されている。
【００１９】
また、化粧パネル２は、図２（Ａ）において図示してはいないが、化粧パネル２の複数の固定部に設けられた螺子挿通孔に、下方から螺子３９を挿通させるとともに、前記取付金具１２の螺子孔１２ｃに螺合させることにより、図１で示すように、天井面４１を覆うようにして前記外郭筐体１に装着されるようになっている。
【００２０】
次に、メンテナンス作業時の手順について説明する。図３で示すように、まず前記化粧パネル２を前記外郭筐体１の取付金具１２に固定している複数の螺子３９を抜脱し、前記化粧パネル２を下降させて外郭筐体１から離脱させる。次に、前記露受皿ユニット１０に設けられた前記取付片１３の係止部材１４を、図４（Ａ）で示すように、上方に向け回動させ、前記取付金具１２から外周側に突設された左右一対の係止爪１２ａの上方に、係止部材１４の端部を位置させる。続いて、同係止部材１４を係止爪１２ａに係止させるようにして前記螺子３８を抜脱する。これにより、前記取付片１３が前記取付金具１２の下部片１２ｂから離脱するとともに、露受皿ユニット１０が水平状態を保ったまま、下降するようになっている。
【００２１】
前記露受皿ユニット１０が最下部まで下降したら、作業者は露受皿ユニット１０の底面を押し上げ、押し上げた状態で、前記取付金具１２の係止爪１２ａから係止部材１４を外す。係止部材１４を外し終えたら、作業者は露受皿ユニット１０の水平状態を保ちながら下降させ、前記外郭筐体１から離脱させる。これにより、露受皿ユニット１０に残留している凝縮水を周囲に飛散させるというような不具合の発生を防止してメンテナンス作業を支障なく継続させることができるようになっている。また、複数の前記螺子３８を抜脱しても、前記係止部材１４が前記係止爪１２ａに係止して露受皿ユニット１０の落下を防ぐことにより、安全なメンテナンス作業を行うことができるようになっている。
【００２２】
前記化粧パネル２と前記露受皿ユニット１０とを前記外郭筐体１から離脱させ、これらの清掃及びドレンポンプ等の点検が終了したら、上記した手順とは逆の手順で、これら化粧パネル２と露受皿ユニット１０とを前記外郭筐体１に装着することによりメンテナンス作業は完了するようになっている。
【００２３】
尚、前記係止部材１４は、メンテナンス時の前記露受皿ユニット１０の係止部材として使用されるだけでなく、天井埋込形空気調和機の天井面への設置時にも使用されるようになっている。天井埋込形空気調和機の設置作業は、まず前記外郭筐体１を天井裏壁面４０と天井面４１との間に吊り下げ設置し、続いて化粧パネル２を下方から引き上げ、図２（Ａ）で示すように、螺子３９を化粧パネル２に設けられた挿通孔に挿通させるとともに、前記取付具金具１２の螺子孔１２ｃに螺合させることにより、化粧パネル２は天井面４１を覆うとともに、前記外郭筐体１に装着されるようになっている。
【００２４】
前記化粧パネル２の角部近傍には、図５（Ａ）で示すように、少なくとも対角状に空間部が形成され、同空間部を形成するリブの一角から、上面に螺子挿通孔２ｂを穿設した固定部２ａが突設されている。化粧パネル２を外郭筐体１に装着する際は、図５（Ｂ）で示すように、まず前記化粧パネル２を天井面４１に向かい押し上げ、前記係止部材１４に、前記固定部２ａを掛合させ、化粧パネル２を天井面４１近傍に仮止め状態とする。続いて、螺子３９を前記螺子挿通孔２ｂに挿通させるとともに、前記取付具金具１２の螺子孔１２ｃに螺合させる。これにより、化粧パネル２の装着作業を作業者が単独で行っても容易に作業を遂行することができるようになるとともに、不注意等による化粧パネル２の落下等の虞を防止して安全な設置作業を行うことができるようになっている。
【００２５】
以上、説明したように、露受皿ユニット１０を外郭筐体１から離脱させる際、前記露受皿ユニット１０に設けられた前記取付片１３の係止部材１４を、前記取付金具１２から突設された左右一対の係止爪１２ａに係止させながら螺子３８を抜脱することにより、露受皿ユニット１０の水平状態を保ったまま、離脱作業を行えるようになっており、露受皿ユニット１０に残留している凝縮水を周囲に飛散させるというような不具合の発生を防止するとともに、不注意により露受皿ユニット１０を落下させるというような事態を防止して、安全なメンテナンス作業を行なえる天井埋込形空気調和機とすることができるようになっている。また、化粧パネル２の設置作業時にも、前記係止部材１４により化粧パネル２を仮止状態とし、作業を遂行することができることにより、設置作業時の安全性を向上させることのできる天井埋込形空気調和機とすることができるようになっている。
【図面の簡単な説明】
【００２６】
【図１】（Ａ）は天井埋込形空気調和機の断面図である。
【００２７】
（Ｂ）は、外郭筐体の斜視図である。
【図２】（Ａ）は外郭筐体と露受皿ユニットとを示す要部斜視図である。
【００２８】
（Ｂ）は外郭筐体と露受皿ユニットとを示す下方からの斜視図である。
【図３】メンテナンス時の手順を示す説明図である。
【図４】（Ａ）及び（Ｂ）は露受皿ユニットの離脱作業を示す説明図である。
【図５】化粧パネルを装着する際の作業手順を示す説明図である。
【図６】従来の天井埋込形空気調和機の露受皿離脱作業を示す説明図である。
【符号の説明】
【００２９】
１  外郭筐体
２  化粧パネル
２ａ  固定部
２ｂ  螺子挿通孔
３  吸込グリル
４  フィルタ
５  吹出口
５ａ  風向偏向板
６  遠心ファン
７  ファンモータ
８  熱交換器
９  ベルマウス
１０  露受皿ユニット
１１  吊りボルト
１２  取付金具
１２ａ  係止爪
１２ｂ  下部片
１２ｃ  螺子孔
１２ｄ  螺子孔
１３  取付片
１３ａ  螺子挿通孔
１４  係止部材
３８  螺子
３９  螺子
４０  天井裏壁面
４１  天井面
【図１】
2009079819.tif 000003
【図２】
2009079819.tif 000004
【図３】
2009079819.tif 000005
【図４】
2009079819.tif 000006
【図５】
2009079819.tif 000007
【図６】
2009079819.tif 000008